(57)【要約】【課題】電子装置又はＵＳＢコネクタの過熱による発火、爆発を未然に防止するＵＳＢコネクタを提供する。【解決手段】ＵＳＢコネクタ２を介して電子装置４００とモバイル電源３００との間が導通されている間、温度検知素子５が載置部４１周囲の温度が予め定められた所定温度を超えたことを検出した場合、電子装置４００とモバイル電源３００との間を非導通状態にし、モバイル電源３００から電子装置４００への電力の出力を遮断する。【選択図】図１
2016071840.tif 000002
【特許請求の範囲】
【請求項１】
電子装置及びモバイル電源の間を連結して電気的に導通させるＵＳＢコネクタであって、
中空状の収容部と、前記モバイル電源に差し抜き可能に前記収容部より突き出て形成された差込部と、を有する筐体と、
前記筐体より突き出て設けられた接続ユニットであって、前記収容部に配置された載置部と、前記差込部が前記モバイル電源に差し込まれたとき前記モバイル電源と電気的に連結される接続端子を有し且つ前記載置部に保持されるように設けられた接続部と、前記電子装置と電気的に接続され且つ前記接続部と電気的に連結された連結部と、を有する接続ユニットと、
前記載置部周辺の温度を検知するように前記接続ユニットに設けられた温度検知素子と、
を備えていることを特徴とするユニバーサル・シリアル・バスコネクタ。
【請求項２】
前記接続ユニットを介して前記温度検知素子と電気的に連結されるように前記電子装置に設けられた制御素子を更に備え、前記制御素子は、前記温度検知素子が前記載置部周囲の温度が予め定められた所定温度を超えたことを検出した場合、前記電子装置と前記モバイル電源との間を電気的に導通しない状態である非導通状態にすることを特徴とする請求項１に記載のユニバーサル・シリアル・バスコネクタ。
【請求項３】
前記載置部は、その一面より窪んで取付溝が形成され、
前記温度検知素子は、その前記連結部寄りの後端が前記接続端子と電気的に接触し、前記載置部の周辺の温度を検知するように前記取付溝に装着されていることを特徴とする請求項１に記載のユニバーサル・シリアル・バスコネクタ。
【請求項４】
前記温度検知素子が前記載置部周囲の温度が予め定められた所定温度を超えたことを検出した場合、前記接続端子と前記連結部との間を電気的に導通しない状態である非導通状態にするように制御する制御素子を更に有することを特徴とする請求項１又は３に記載のユニバーサル・シリアル・バスコネクタ。
【請求項５】
前記接続ユニットは更に前記接続部と前記連結部との間を電気的に接続するように設けられた回路部を有し、
前記ＵＳＢコネクタは更に、前記温度検知素子が前記載置部周囲の温度が予め定められた所定温度を超えたことを検出した場合、前記接続端子と前記連結部との間を電気的に導通しない状態である非導通状態にするように、前記回路部に設けられた制御素子を有することを特徴とする請求項１又は３に記載のユニバーサル・シリアル・バスコネクタ。
【請求項６】
前記回路部と前記温度検知素子とに電気的に接続されるように前記接続ユニットに設けられたフレキシブルプリント回路基板を更に有することを特徴とする請求項５に記載のユニバーサル・シリアル・バスコネクタ。
【請求項７】
前記温度検知素子が前記載置部周囲の温度が予め定められた所定温度を超えたことを検出した場合、外部に警報信号を発信するように、前記回路部に取り付けられた発信素子を更に有することを特徴とする請求項５に記載のユニバーサル・シリアル・バスコネクタ。
【請求項８】
前記発信素子は、外部に発光する発光ダイオードであることを特徴とする請求項７に記載のユニバーサル・シリアル・バスコネクタ。
【請求項９】
前記制御素子は更に、前記モバイル電源の出力電流値と前記電子装置の入力電流値とが一致するか否かを検出するように構成され、
前記制御素子が前記モバイル電源の出力電流値と前記電子装置の入力電流値とが一致しないことを検出した場合、外部に警報信号を発信する発信素子を更に有することを特徴とする請求項５に記載のユニバーサル・シリアル・バスコネクタ。
【請求項１０】
前記発信素子によって外部に前記警報信号を発信するとき、前記制御素子は前記接続部と前記連結部との間を前記非導通状態にするように制御することを特徴とする請求項９に記載のユニバーサル・シリアル・バスコネクタ。
【請求項１１】
前記発信素子は、外部に発光する発光ダイオードであることを特徴とする請求項１０に記載のユニバーサル・シリアル・バスコネクタ。
【請求項１２】
モバイル電源と電気的に連結されるように構成された電熱ウェアであって、
着用されるウェア本体と、
前記ウェア本体に装着され、通電することによって発熱する電子装置と、
前記電子装置及び前記モバイル電源の間を連結して電気的に導通させるユニバーサル・シリアル・バスコネクタと、
を備え、
前記ユニバーサル・シリアル・バスコネクタは、
中空状の収容部と、前記モバイル電源に差し抜き可能に前記収容部より突き出て形成された差込部と、を有する筐体と、
前記筐体より突き出て設けられた接続ユニットであって、前記収容部に配置された載置部と、前記差込部が前記モバイル電源に差し込まれたとき前記モバイル電源と電気的に連結される接続端子を有し且つ前記載置部に保持されるように設けられた接続部と、前記電子装置と電気的に接続され且つ前記接続部と電気的に連結された連結部と、を有する接続ユニットと、
前記載置部周辺の温度を検知するように前記接続ユニットに設けられた温度検知素子と、
を備え、
前記電子装置は、更に前記接続ユニットと電気的に連結される制御素子を有し、
前記温度検知素子が前記載置部周囲の温度が予め定められた所定温度を超えたことを検出した場合、前記制御素子によって、前記電子装置と前記モバイル電源との間を電気的に導通しない状態である非導通状態にすることを特徴とする電熱ウェア。
【請求項１３】
前記載置部は、その一面より窪んで取付溝が形成され、
前記温度検知素子は、その前記連結部寄りの後端が前記接続端子と電気的に接触し、前記載置部の周辺の温度を検知するように前記取付溝に装着されていることを特徴とする請求項１２に記載の電熱ウェア。
【請求項１４】
モバイル電源と電気的に連結されるように構成された電熱ウェアであって、
着用されるウェア本体と、
前記ウェア本体に装着され、通電することによって発熱する電子装置と、
前記電子装置及び前記モバイル電源の間を連結して電気的に導通させるユニバーサル・シリアル・バスコネクタと、
を備え、
前記ユニバーサル・シリアル・バスコネクタは、
中空状の収容部と、前記モバイル電源に差し抜き可能に前記収容部より突き出て形成された差込部と、を有する筐体と、
前記筐体より突き出て設けられた接続ユニットであって、前記収容部に配置された載置部と、前記差込部が前記モバイル電源に差し込まれたとき前記モバイル電源と電気的に連結される接続端子を有し且つ前記載置部に保持されるように設けられた接続部と、前記電子装置と電気的に接続され且つ前記接続部と電気的に連結された連結部と、を有する接続ユニットと、
前記載置部周辺の温度を検知するように前記接続ユニットに設けられた温度検知素子と、
前記接続ユニットと電気的に連結され、前記温度検知素子が前記載置部周囲の温度が予め定められた所定温度を超えたことを検出した場合、前記電子装置と前記モバイル電源との間を電気的に導通しない状態である非導通状態にするように構成された制御素子と、
を備えていることを特徴とする電熱ウェア。
【発明の詳細な説明】
【技術分野】
【０００１】
本発明は、モバイル電源と電子装置とを連結してモバイル電源から電子装置に電力を供給するユニバーサル・シリアル・バス（Ｕｎｉｖｅｒｓａｌ  Ｓｅｒｉａｌ  Ｂｕｓ；ＵＳＢ）コネクタ及びＵＳＢコネクタを用いた防寒ウェアに関する。
【背景技術】
【０００２】
図７は、従来のＵＳＢコネクタの一例を示している。該従来のＵＳＢコネクタ１は、モバイル電源１００と電子装置２００とを連結し、電子装置２００はモバイル電源１００から電力が供給されるようになっている。電子装置２００は、例えば携帯電話、ノートＰＣ、電熱ウェアなどに取り付けられるもので、以下、インナーウェアとしての電熱ウェアを例として説明する。
【０００３】
ＵＳＢコネクタ１は、一定の形状に形成された筐体１１と、筐体１１より突き出て設けられている接続ユニット１２と、を備えている。筐体１１は、中空状の収容部１１１と、モバイル電源１００に差し抜き可能に収容部１１１より突き出て形成された差込部１１２と、を有する。接続ユニット１２は、差込部１１２内に収容されている接続端子１２２を有する。差込部１１２がモバイル電源１００に差し込まれて連結されると、電子装置２００が接続端子１２２を介してモバイル電源１００に電気的に導通され、接続端子１２２を介してモバイル電源１００に蓄積された電力を得るようになっている。
【先行技術文献】
【特許文献】
【０００４】
【特許文献１】台湾登録実用新案第Ｍ５８４３２５号明細書
【発明の概要】
【発明が解決しようとする課題】
【０００５】
電熱ウェアとしての電子装置２００は、ＵＳＢコネクタ１を介して供給された電力によって作動されると、電熱ウェアを着用しているユーザーが加温され温まることができる。しかし、モバイル電源１００の出力パワーが異常であったり、電子装置２００の内部回路がショートしたりする際、接続端子１２２とモバイル電源１００、電子装置２００の導通において発熱、発火の恐れがある。これによって、電熱ウェアを着用したユーザーが負傷するという問題点がある。
【０００６】
本発明は、過熱等を避けるように温度検知機能を有するＵＳＢコネクタと、該ＵＳＢコネクタを備えた電熱ウェアと、を提供することを目的とする。
【課題を解決するための手段】
【０００７】
上記目的を達成するために、一の観点によれば、本発明は、電子装置及びモバイル電源の間を連結して電気的に導通させるＵＳＢコネクタを提供する。本発明に係るＵＳＢコネクタは、中空状の収容部と前記モバイル電源に差し抜き可能に前記収容部より突き出て形成された差込部とを有する筐体と、前記筐体より突き出て設けられた接続ユニットであって、前記収容部に配置された載置部と前記差込部が前記モバイル電源に差し込まれたとき前記モバイル電源と電気的に連結される接続端子を有し且つ前記載置部に保持されるように設けられた接続部と前記電子装置と電気的に接続され且つ前記接続部と電気的に連結された連結部とを有する接続ユニットと、前記載置部周辺の温度を検知するように前記接続ユニットに設けられた温度検知素子と、を備えていることを特徴とする。
【０００８】
また、本発明に係るＵＳＢコネクタは更に、モバイル電源、電子装置又はＵＳＢコネクタが異常に温度が上がったとき、電子装置にモバイル電源の給電を中止するよう、接続ユニットと電気的に連結されるように電子装置又は接続ユニットに配置された制御素子を有することが好ましい。
【０００９】
また、本発明に係るＵＳＢコネクタは更に、前記温度検知素子が前記載置部が予め定められた所定温度を超えたことを検出した場合、外部に警報信号を発信するように、前記回路部に取り付けられた発信素子を有することが好ましい。
【００１０】
また、他の観点によれば、本発明は、モバイル電源と電気的に連結されるように構成された電熱ウェアをも提供する。本発明に係る電熱ウェアは、着用するウェア本体と、前記ウェア本体に装着され、通電することによって発熱する電子装置と、前記電子装置及び前記モバイル電源の間を連結して電気的に導通させるユニバーサル・シリアル・バス（ＵＳＢ）コネクタと、を備え、前記ＵＳＢコネクタは、本発明に係るＵＳＢコネクタが用いられる。
【発明の効果】
【００１１】
本発明に係るＵＳＢコネクタは、モバイル電源と電子装置とを電気的に導通してモバイル電源から電子装置に給電している間、温度検知素子によって検知された温度が予め定められた所定温度以上になったことを検出したとき、モバイル電源と電子装置との間を遮断して非導通状態にし、モバイル電源から電子装置への給電を中断することができる。これによって、電子装置又はＵＳＢコネクタの過熱による発火、爆発を未然に防止することができる。従って、電熱ウェア等への使用安全性を向上させることができる。
【図面の簡単な説明】
【００１２】
【図１】電熱ウェアとモバイル電源との間が電気的に連結される本発明に係るＵＳＢコネクタを示す図である。
【図２】本発明に係るＵＳＢコネクタの第１の実施形態を示す分解斜視図である。
【図３】本発明に係るＵＳＢコネクタの第２の実施形態を概略的に示す側面図である。
【図４】本発明に係るＵＳＢコネクタの第３の実施形態を概略的に示す側面図である。
【図５】本発明に係るＵＳＢコネクタの第４の実施形態を概略的に示す側面図である。
【図６】本発明に係るＵＳＢコネクタの第５の実施形態を概略的に示す側面図である。
【図７】電熱ウェアとモバイル電源との間が電気的に連結される従来のＵＳＢコネクタの一例を示す図である。
【発明を実施するための形態】
【００１３】
以下、本発明に係るＵＳＢコネクタにおけるいくつかの実施形態について図面を参照して説明する。なお、同一構成及び機能を有する構成要素については、同一番号を付してその説明を省略する。
【００１４】
（第１の実施形態）
図１と図２は、本発明に係るＵＳＢコネクタの第１の実施形態を示している。該実施形態に係るＵＳＢコネクタ２は、電子装置４００がモバイル電源３００から電力を供給されるよう電子装置４００及びモバイル電源３００の間を電気的に連結するものである。なお、この実施形態では、電子装置４００は、通電すると作動して発熱可能に電熱ウェア５００のウェア本体５０１に装着されている。
【００１５】
ＵＳＢコネクタ２は、中空状の筐体３と、筐体３内に設けられた接続ユニット４と、接続ユニット４に設けられた温度検知素子５と、制御素子６と、を備えている。
【００１６】
筐体３は、中空状の収容部３１と、モバイル電源３００に差し抜き可能に差し込むように収容部３１より突き出て形成された差込部３２と、を有する。
【００１７】
接続ユニット４は、収容部３１内に配置されている載置部４１と、載置部４１に保持されて設けられた接続部４２と、電子装置４００と電気的に繋げられ且つ接続部４２と電気的に連結された連結部４３と、接続部４２と連結部４３との間を電気的に接続するように設けられた回路部４４と、を有する。接続部４２は、載置部４１より差込部３２に向かって延伸されて帯状に形成された数本の接続端子４２１を有する。連結部４３は、電子装置４００に繋がるように収容部３１より例えばコード状に延伸されて形成されている。なお、接続ユニット４は、一般的な構成であるためその説明を省略する。差込部３２がモバイル電源３００に差し込まれて連結されると、電子装置４００が接続部４２を介してモバイル電源３００に電気的に導通され、モバイル電源３００に蓄積された電力を接続部４２の接続端子４２１を介して得るようになっている。
【００１８】
温度検知素子５は、接続ユニット４の温度、とりわけ載置部４１周囲の温度を検知するものであり、載置部４１に保持されるように接続端子４２１と所定の間隔をおいて並列されている。なお、この実施形態において、温度検知素子５としては熱電対（ｔｈｅｒｍｏｃｏｕｐｌｅ）が用いられる。
【００１９】
制御素子６は、図１に示されているように、接続ユニット４を介して温度検知素子５と電気的に連結されるように電子装置４００に設けられ、温度検知素子５が載置部４１周囲の温度が予め定められた所定温度を超えたことを検出した場合、電子装置４００とモバイル電源３００との間を電気的に導通しない状態である非導通状態にし、モバイル電源３００から電力の出力を遮断するようになっている。なお、この実施形態において制御素子６としては、温度制御スイッチ内蔵の中央演算処理器（ｃｅｎｔｒａｌ  ｐｒｏｃｅｓｓｉｎｇ  ｕｎｉｔ（ＣＰＵ））が用いられる。
【００２０】
次に、上記のように構成された本実施形態に係るＵＳＢコネクタ２の動作及び作用について説明する。なお、電子装置４００と制御素子６とが電熱ウェア５００のウェア本体５０１に装着されて使用される例を挙げて説明する。
【００２１】
差込部３２がモバイル電源３００に差し込まれて連結されると、接続部４２と回路部４４と連結部４３とを介して電子装置４００がモバイル電源３００に電気的に導通され、モバイル電源３００に蓄積された電力が電子装置４００に出力される。ＵＳＢコネクタ２を介して電子装置４００とモバイル電源３００との間が導通されている間、温度検知素子５が載置部４１周囲の温度が予め定められた所定温度を超えたことを検出した場合、制御素子６によって、電子装置４００とモバイル電源３００との間を非導通状態にし、モバイル電源３００から電子装置４００への電力の出力を遮断する。
【００２２】
このように、モバイル電源３００、電子装置４００、ＵＳＢコネクタ２の温度が異常に上がったとき、ＵＳＢコネクタ２を介したモバイル電源３００からの電子装置４００への給電を遮断することができるので、過熱による発火、爆発を未然に防止することができる。従って、電熱ウェア５００等への使用安全性を向上させることができる。
【００２３】
（第２の実施形態）
図３は、本発明に係るＵＳＢコネクタの第２の実施形態を概略的に示している。本実施形態に係るＵＳＢコネクタ２は、第１の実施形態と同様で、モバイル電源３００から給電されて電子装置４００が発熱できるように、モバイル電源３００と電子装置４００との間を連結するもので、筐体３と、接続ユニット４と、温度検知素子５と、制御素子６と、を備えている。
【００２４】
筐体３は、中空状の収容部３１と、モバイル電源３００に差し抜き可能に差し込むように収容部３１より突き出て形成された差込部３２と、を有する。
【００２５】
接続ユニット４は、収容部３１内に配置されている載置部４１と、載置部４１に保持されて設けられた接続部４２と、電子装置４００と電気的に接続され且つ接続部４２と電気的に連結された連結部４３と、接続部４２と連結部４３との間を電気的に接続するように設けられた回路部４４と、を有する。接続部４２は、載置部４１より差込部３２に向かって延伸されて帯状に形成された数本の接続端子４２１を有する。連結部４３は、電子装置４００に繋がるように収容部３１より例えばコード状に延伸されて形成されている。差込部３２がモバイル電源３００に差し込まれて連結されると、電子装置４００が接続部４２を介してモバイル電源３００に電気的に導通され、モバイル電源３００に蓄積された電力を接続部４２の接続端子４２１を介して得るようになっている。
【００２６】
温度検知素子５は、載置部４１周囲の温度を検知するものであり、回路部４４に設置されている。なお、温度検知素子５としては、上記実施形態と同様に、熱電対（ｔｈｅｒｍｏｃｏｕｐｌｅ）が用いられる。
【００２７】
制御素子６は、図３に示されているように、回路部４４に設けられ、温度検知素子５が載置部４１周囲の温度が予め定められた所定温度以下であると検出した場合、連結部４３を介して電子装置４００とモバイル電源３００との間を電気的に導通する状態である導通状態にし、モバイル電源３００から電力を出力し、その一方、温度検知素子５が載置部４１周囲の温度が予め定められた所定温度を超えたことを検出した場合、接続部４２と連結部４３との間を遮断して電子装置４００とモバイル電源３００との間を電気的に導通しない状態である非導通状態にし、モバイル電源３００から電子装置４００への電力の出力を遮断するようになっている。なお、この実施形態では、制御素子６としては、温度制御スイッチが用いられる。
【００２８】
次に、上記のように構成された本実施形態に係るＵＳＢコネクタ２の動作及び作用について説明する。
【００２９】
差込部３２がモバイル電源３００に差し込まれて連結されると、接続部４２と回路部４４と連結部４３を介して電子装置４００がモバイル電源３００に電気的に導通され、モバイル電源３００に蓄積された電力が電子装置４００に出力される。ＵＳＢコネクタ２を介して電子装置４００とモバイル電源３００との間が導通されている間、温度検知素子５が載置部４１周囲の温度が予め定められた所定温度を超えたことを検出した場合、制御素子６によって、電子装置４００とモバイル電源３００との間を非導通状態にし、モバイル電源３００から電子装置４００への電力の出力を遮断する。
【００３０】
このように、モバイル電源３００或いは電子装置４００の温度が異常に上がったとき、電子装置４００にモバイル電源３００の給電を中止する機能を備えた回路構成が内蔵されていない場合でも、ＵＳＢコネクタ２における温度検知素子５と制御素子６によってモバイル電源３００からの電子装置４００への給電を遮断することができるので、過熱による発火、爆発を未然に防止することができる。従って、電熱ウェア５００等への使用安全性を向上させることができる。
【００３１】
（第３の実施形態）
図４は、本発明に係るＵＳＢコネクタの第３の実施形態を概略的に示している。本実施形態に係るＵＳＢコネクタ２は、上記実施形態と同様で、モバイル電源３００から給電されて電子装置４００が発熱できるように、モバイル電源３００と電子装置４００との間を連結するもので、筐体３と、接続ユニット４と、温度検知素子５と、制御素子６と、を備えている。なお、本実施形態に係るＵＳＢコネクタ２において筐体３と、制御素子６との構成は上記実施形態とほぼ同様であるため、それらの説明を省略する。
【００３２】
載置部４１は、その一面より窪んで取付溝４１１が形成されている。温度検知素子５は、その連結部４３寄りの後端が接続端子４２１と電気的に接触されるように取付溝４１１に装着され、載置部４１の周辺の温度、とりわけ接続部４２の温度を検知するようになっている。温度検知素子５は、接続部４２の温度を検知することによって、ＵＳＢコネクタ２を介してモバイル電源３００から電子装置４００への導通・給電時の作業温度を感度高く検出することができる。
【００３３】
このように、モバイル電源３００、電子装置４００、又はＵＳＢコネクタ２が異常に温度が上がったとき、ＵＳＢコネクタ２の温度検知素子５と制御素子６によって、モバイル電源３００からの電子装置４００への給電を遮断することができるので、過熱による発火、爆発を未然に防止することができる。従って、電熱ウェア５００等への使用安全性を向上させることができる。
【００３４】
（第４の実施形態）
図５は、本発明に係るＵＳＢコネクタの第４の実施形態を概略的に示している。本実施形態に係るＵＳＢコネクタ２は、モバイル電源３００から給電されて電子装置４００が発熱できるように、モバイル電源３００と電子装置４００との間を連結するもので、上記の第３の実施形態と同様な構成を有するが、更に柔軟なフレキシブルプリント（ＦＰＣ）回路基板８を備えている。回路部４４は、ＦＰＣ回路基板８と電気的に連結され、温度検知素子５は、ＦＰＣ回路基板８に取り付けられている。この実施形態では、温度検知素子５は、感温チップが用いられる。
【００３５】
本実施形態に係るＵＳＢコネクタ２は、上記実施形態と同様な効果を備えている他、ＦＰＣ回路基板８の柔軟性により、温度検知素子５は取付け位置に応じて柔軟性が備わる。また、ＦＰＣ回路基板８を備えていることにより、ＵＳＢコネクタ２全体の回路配置を幅広い自由度をもって行うことができる。
【００３６】
（第５の実施形態）
図６は、本発明に係るＵＳＢコネクタの第５の実施形態を概略的に示している。本実施形態に係るＵＳＢコネクタ２は、上記実施形態と同様に、モバイル電源３００から給電されて電子装置４００が発熱できるように、モバイル電源３００と電子装置４００との間を連結するもので、上記の第４の実施形態と同様な構成を有するが、更に回路部４４に取り付けられた発信素子９を備えている。
【００３７】
筐体３は、発信素子９に対応すると共に収容部３１の外部より突き出るガイド部３３が設けられている。
【００３８】
発信素子９は、温度検知素子５が載置部４１の周辺温度、とりわけＵＳＢコネクタ２の作業温度が予め定められた所定温度を超えたことを検出した場合、ガイド部３３を介して外部に例えば光、音などによる警報信号を発信するようになっている。この実施形態では、発信素子９としては、赤色光を発する発光ダイオードが用いられる。
【００３９】
ＵＳＢコネクタ２を介して電子装置４００とモバイル電源３００との間が導通されている間、温度検知素子５が載置部４１周囲の温度が予め定められた所定温度を超えたことを検出した場合、発信素子９がガイド部３３を介して外部に赤色光を発光し、ユーザーに異常状況が発生したことを知らせる。
【００４０】
また、制御素子６は、モバイル電源３００の電流出力を監視し、モバイル電源３００の出力電流値と電子装置４００の入力電流値とが一致するか否かを検出できるように構成される。モバイル電源３００の出力電流値と電子装置４００の入力電流値とが一致しない場合、制御素子６は、発信素子９をトリガーし、発信素子９によって外部に警報信号を発する。また、制御素子６は、モバイル電源３００の出力電流値と電子装置４００の入力電流値とが一致しないことを検出した場合、発信素子９が警報信号を発信すると同時に、接続部４２と連結部４３との間を非導通状態に遮断して、モバイル電源３００から電子装置４００への電力の出力を中断させるようにしてもよい。
【００４１】
例えば、電子装置４００の予め定められた入力電流値が２Ａ（アンペア）である場合、制御素子６はモバイル電源３００の出力電流値が１Ａとなったことを検出したとき、発信素子９をトリガーして外部に警報信号としての赤色光を発すると共に、制御素子６は接続部４２と連結部４３との間を非導通状態にする。このように電子装置４００の使用安全性を向上させることができる。
【００４２】
以上により、本発明に係るＵＳＢコネクタ２は、温度検知素子５と制御素子６とにより、モバイル電源３００と電子装置４００とを電気的に導通してモバイル電源３００から電子装置４００に給電している間、接続ユニット４周囲の温度を監視することができ、また、検知された温度が予め定められた所定温度以上になったことを検出したとき、モバイル電源３００と電子装置４００との間を遮断して非導通状態にし、モバイル電源３００から電子装置４００への給電を中断することができる。これによって、モバイル電源３００、電子装置４００、或いはＵＳＢコネクタ２の温度が異常に上がったとき、ＵＳＢコネクタ２を介したモバイル電源３００からの電子装置４００への給電を遮断することができるので、過熱による発火、爆発を未然に防止することができる。従って、電熱ウェア５００等への使用安全性を向上させることができる。
【００４３】
本発明は、上述の各実施形態に限定されるものではなく、当業者の知識に基づいて各種の設計変更等の変形を加えることも可能である。各図に示す構成は、本発明を説明するためのもので、同様な機能を達成できる構成であれば、適宜変更可能である。
【産業上の利用可能性】
【００４４】
本発明に係るＵＳＢコネクタは、モバイル電源から電熱ウェア等に装着された電熱素子としての電子装置に充電するコネクタとして有用である。
【符号の説明】
【００４５】
２  ＵＳＢコネクタ
３  筐体
３１  収容部
３２  差込部
３３  ガイド部
４  接続ユニット
４１  載置部
４１１  取付溝
４２  接続部
４２１  接続端子
４３  連結部
４４  回路部
５  温度検知素子
６  制御素子
８  ＦＰＣ回路基板
９  発信素子
３００  モバイル電源
４００  電子装置
５００  電熱ウェア
５０１  ウェア本体
【図１】
2016071840.tif 000003
【図２】
2016071840.tif 000004
【図３】
2016071840.tif 000005
【図４】
2016071840.tif 000006
【図５】
2016071840.tif 000007
【図６】
2016071840.tif 000008
【図７】
2016071840.tif 000009